(57)【要約】【課題】万一室外機内で火災が発生した場合でも、火が外部に吹き出すことを防止または低減できる空気調和機の室外機を提供する。【解決手段】室外機本体内に配設される室外機側冷媒管２３ａと、室内機本体内に配設される室内機側冷媒管とを連通可能に接続する開閉可能の液側，ガス側サービスバルブ２０，２１と、このサービスバルブに予め接続されて予組みされた室外機側冷媒管２３ａを径方向に没入させてサービスバルブを所定の固定位置に位置決めする切欠を有し、このサービスバルブを固定する一方、室外機本体に固定されるサービスバルブ固定板１７と、を具備している。室外機側冷媒管２３ａに予め装着されてサービスバルブ２０，２１に予組みされ、この予組みされたサービスバルブがサービスバルブ固定板１７に固定されたときに、サービスバルブ２０，２１とサービスバルブ固定板１７との間に形成されて外部に開口する間隙ｇ，ｈを被覆する間隙カバー３０を設けている。【選択図】  図１
2013083401.tif 000002
【特許請求の範囲】
【請求項１】
室外機本体内に配設される室外機側冷媒管と、室内機本体内に配設される室内機側冷媒管とを連通可能に接続する開閉可能のサービスバルブと、
このサービスバルブに予め接続されて予組みされた前記室外機側冷媒管を径方向に没入させてサービスバルブを所定の固定位置に位置決めする切欠を有し、このサービスバルブを固定する一方、前記室外機本体に固定されるサービスバルブ固定板と、
を具備した空気調和機の室外機において、
前記室外機側冷媒管に予め装着されて前記サービスバルブに予組みされ、この予組みされたサービスバルブが前記サービスバルブ固定板に固定されたときに、前記サービスバルブとサービスバルブ固定板との間に形成されて外部に開口する間隙を被覆する間隙カバーを設けたことを特徴とする空気調和機の室外機。
【発明の詳細な説明】
【技術分野】
【０００１】
本発明の実施形態は空気調和機の室外機に関する。
【背景技術】
【０００２】
一般に、室外機と室内機とを具備した空気調和機では、これら室外機と室内機とにそれぞれ配設された冷凍サイクル部品を、接続用冷媒管により連通可能に接続して冷凍サイクルを構成している。したがって、室外機と室内機は接続用冷媒管により接続されている。
【０００３】
特に室外機には、サービスバルブ（パックドバルブ）が備えられ、室外機側の冷凍サイクル部品側に冷媒が封入された状態で製品として工場から出荷される。そして、ユーザ側で据付ける際に、室内機内の冷媒管に接続用冷媒管を接続し、この接続用冷媒管の外端部を上記サービスバルブに接続したうえで、このサービスバルブを開弁することにより、室外機内の冷媒を室内機側の冷凍サイクル部品に供給し、室外機と室内機とで循環可能な状態にする。
【０００４】
室外機と室内機とを連通する接続用冷媒管には、冷凍サイクル構成からガス側接続用冷媒管と液側冷媒管の２本があるので、これら２本の接続用冷媒管にそれぞれ対応させるために、パックドバルブは合計２個備えられている。
【０００５】
この種のサービスバルブの取付構造の一例としては、特許文献１に記載されたものがある。
【先行技術文献】
【特許文献】
【０００６】
【特許文献１】特開２０００−９７４５３号公報
【発明の概要】
【発明が解決しようとする課題】
【０００７】
しかしながら、このような従来のサービスバルブ取付構造では、サービスバルブ（パックドバルブ）と、これを固定するサービスバルブ固定板との間に、外部に開口する間隙が形成されてしまうという課題がある。
【０００８】
このために、万一、室外機内で火災が発生すると、この間隙の開口から外部へ火が吹き出し、室外機近傍にある建物等可燃物に延焼する虞がある。
【０００９】
すなわち、図１２に示すように従来のサービスバルブ取付構造では、液側サービスバルブａの取付フランジｂおよびガス側サービスバルブｃの取付フランジｄと、これら取付フランジｂ，ｄを取付固定するサービスバルブ固定板ｅの取付用膨出部頂端ｆと、の間に、間隙ｇ，ｈがそれぞれ形成されている。
【００１０】
図１３に示すように、ガス側サービスバルブｃは、室内機の室内熱交換器のガス側に接続される室内機側冷媒管（図示省略）に、ガス側接続用冷媒管を介して接続される外側接続端部ｉ、室外機の圧縮機１４に接続される室外機側冷媒管ｊに接続される内側接続端部ｋ、これら内，外側接続端部ｉ，ｋ同士を連通するＬ字状の連通路を有する本体部ｌおよびこの本体部ｌの連通路を開閉する開閉弁ｍを具備している。開閉弁ｍは、例えばこれに外嵌される六角レンチの回動により開，閉される。
【００１１】
また、本体部ｌは、外側接続端部ｉに対し径方向反対側において、サービス用接続端部ｎを一体に突設している。このサービス用接続端部ｎは、図示しない真空ポンプの排気管に接続され、外側接続端部ｉにガス側接続用冷媒管を介して室内機側のガス側冷媒管に接続した後、真空ポンプにより排気すると、このサービス用接続端部ｎに接続された室内機側冷媒管内の空気および異物等が排気される。
【００１２】
そして、ガス側サービスバルブｃは、その内側接続端部ｋ側に、平面形状が長円状の取付フランジｄを一体に形成し、この取付フランジｄのパイプ挿通孔ｏ内にガス側の室外機側冷媒管ｊの接続端部を挿通させて、ガス側サービスバルブｃの内側接続部ｋにロー付け等により予め接続し固定する予組みを行っている。
【００１３】
そして、液側サービスバルブａは、ガス側サービスバルブｃとほぼ同様に構成されるので、図１４中、ガス側サービスバルブｃと同一または相当部分には同一符号を付しているが、ガス側サービスバルブｃとの相違は、サービス用接続端部ｎを具備していない点と、外側接続端部ｉおよび本体部ｌの口径がガス側サービスバルブｃよりも小径である点、内側接続端部ｋには、液側の室外機側冷媒管ｓをロー付け等により予め接続し固定する予組みを行う点が相違する。
【００１４】
したがって、液側サービスバルブａも、その内側接続部ｋに室外機側冷媒管ｋをロー付け等により予め接続し固定する予組みを行っている。
【００１５】
この予組み状態で、液側，ガス側サービスバルブａ，ｃの各取付フランジｂ，ｄは、サービスバルブ固定板ｅの取付用膨出部頂端ｆの所定の取付位置に、ねじ止めにより固定されるために、図１４に示すようにサービスバルブ固定板ｅにそれぞれ形成した切欠部ｐ，ｑ内に、液側またはガス側の室外機側冷媒管ｊ，ｓの両接続端部を径方向に没入している。切欠部ｐ，ｑはサービスバルブ固定板ｅの外端から、その内方の取付用膨出部頂端ｆまでほぼＵ字状に切欠き形成されている。
【００１６】
このために、切欠部ｐ，ｑの開口端側が外部に露出して、図１２で示す上記間隙ｇ，ｈが形成され、これら間隙ｇ，ｈの開口から火が外部へ吹き出す虞がある。なお、図１１中、符号ｒはサービスバルブ固定板ｅを固定する室外機の底板である。
【００１７】
本発明が解決しようとする課題は、万一室外機内で火災が発生した場合でも、火が外部に吹き出すことを防止または低減できる空気調和機の室外機を提供することにある。
【課題を解決するための手段】
【００１８】
本実施形態の空気調和機の室外機は、室外機本体内に配設される室外機側冷媒管と、室内機本体内に配設される室内機側冷媒管とを連通可能に接続する開閉可能のサービスバルブと、このサービスバルブに予め接続されて予組みされた前記室外機側冷媒管を径方向に没入させてサービスバルブを所定の固定位置に位置決めする切欠を有し、このサービスバルブを固定する一方、前記室外機本体に固定されるサービスバルブ固定板と、を具備している。
【００１９】
また、本実施形態は、室外機側冷媒管に予め装着されて前記サービスバルブに予組みされ、この予組みされたサービスバルブが前記サービスバルブ固定板に固定されたときに、前記サービスバルブとサービスバルブ固定板との間に形成されて外部に開口する間隙を被覆する間隙カバーを設けている。
【図面の簡単な説明】
【００２０】
【図１】本実施形態に係るサービスバルブ取付構造の要部拡大斜視図。
【図２】図１で示すサービスバルブ取付構造を設けた室外機のサイドキャビネットの一部拡大斜視図。
【図３】本実施形態に係る室外機の外観正面図。
【図４】図３で示す室外機の外観を背面側から見たときの斜視図。
【図５】図３，図４で示す室外機の分解斜視図。
【図６】ガス側サービスバルブの外観斜視図。
【図７】液側サービスバルブの外観斜視図。
【図８】本実施形態に係る間隙カバーの斜視図。
【図９】液側サービスバルブに、図８で示す間隙カバーと液側の室外機側冷媒管を予組みしたときの拡大斜視図。
【図１０】ガス側サービスバルブに、図８で示す間隙カバーとガス側の室外機側冷媒管を予組みしたときの拡大斜視図。
【図１１】ガス側の室外機側冷媒管の接続端部を間隙カバーの管挿通孔に挿通させてからガス側サービスバルブの接続端部に接続する方法を示す斜視図。
【図１２】従来のサービスバルブを取り付けた室外機のサイドキャビネットの一部拡大斜視図。
【図１３】従来のサービスバルブの内側接続部に室外機側冷媒管を接続して予組みした状態の一部拡大斜視図。
【図１４】図１２，図１３で示す従来のサービスバルブの取付構造を示す一部拡大斜視図。
【発明を実施するための形態】
【００２１】
以下、本発明の実施形態を図面に基づいて説明する。なお、複数の図面中、同一または相当部分には同一符号を付している。
【００２２】
図３は本発明の一実施形態に係る空気調和機の室外機の外観正面図、図４は同，背面側から見たときの斜視図、図５は同，分解斜視図である。
【００２３】
これら図３〜図５に示すように室外機Ａは板金製矩形箱状の室外機本体１を具備している。
【００２４】
室外機本体１は、板金製の底板２、前キャビネット３、左右一対のサイドキャビネット４ａ，４ｂおよび天板キャビネット５を、箱状に組み合わせて組立てられる。背面には樹脂製格子状のファンガード７を配設している。
【００２５】
室外機本体１は、底板２上に、平面形状がＬ字状の室外熱交換器６を配置する共に、ファンモータ８の回転軸にプロペラファン９が嵌着されてなる室外送風機１０を支持する支持脚１１を立設している。前キャビネット３は、その内側に、プロペラファン９と対向した状態でベルマウス１２を取り付けている。
【００２６】
また、室外機本体１は、底板２上の室外熱交換器６と送風機支持脚１１の側方に、仕切り板１３を立設し、室外機本体１内を二分している。この仕切り板１３の側方には圧縮機１４を配置している。
【００２７】
圧縮機１４の上方には、この圧縮機１４と室外熱交換器６とを連通する室外機側冷媒管１５が折曲した状態で配置されている。さらに、この室外機側冷媒管１５の上方には電気部品箱１６が配設されている。
【００２８】
また、例えば右側のサイドキャビネット４ａは、その上部に電気部品箱１６に取付けられるコネクタにハーネス類を接続するための開口部１８を設けると共に、この開口部１８とサービスバルブ（パックドバルブ）固定板１７の側面をカバーする側面カバー１９を配設している。
【００２９】
そして、サービスバルブ固定板１７は、その図５中下端部を底板２の圧縮機１４側の端縁に沿って固定されている。このサービスバルブ固定板１７には、図１，図２等で示す液側サービスバルブ２０とガス側サービスバルブ２１が配設される。
【００３０】
図２は、上記室外機１の図５中右側のサイドキャビネット４ａに外方へ突出させて突設された液側サービスバルブ２０およびこれよりも管径の大きいガス側サービスバルブ２１と、これらの周辺部を拡大して示す要部拡大図である。
【００３１】
図１はこれら液側サービスバルブ２０とガス側サービスバルブ２１をサービスバルブ固定板１７に固定する固定構造を示す要部拡大図である。
【００３２】
ガス側サービスバルブ２１は、図６に示すように、室外機側冷媒管１５の一例であるガス側の室外機側冷媒管２３ａをロー付け等により固着する内側接続端部２４、図示省略の室内機内に配設される室内機側冷媒管に接続用冷媒管（図示省略）を介して接続される外側接続端部２５、これら内，外側接続端部２４，２５同士を連通させるＬ字状連通路を内部に形成した本体部２６、この本体部２６の連通路を開閉する開閉弁２７を有する。開閉弁２７はこれに例えば六角レンチを外嵌させ、この六角レンチを所要方向に回動させることにより開弁または閉弁される。
【００３３】
また、外側接続端部２５は、液側，ガス側の接続用冷媒管（図示省略）の接続端部と着脱可能に接続される管固定用ナット等から構成されている。
【００３４】
本体部２６は、外側接続端部２５の径方向反対側に、開閉可能のサービス用接続端部２８を配設している。このサービス用接続端部２８は、これに、図示省略の真空ポンプの排気管を接続した後、開弁し、排気することにより、ガス側サービスバルブ２１、接続用冷媒管および室内機側冷媒管内の空気を排気すると共に異物を排気する。
【００３５】
この排気後、サービス用接続端部２８を閉弁し、開閉弁２７を開弁することにより、室外機側冷媒管２３ａ，２３ｂ側に充填されていた冷媒が接続用冷媒管（図示省略）を介して室内機側冷凍サイクル構成部品に供給される。
【００３６】
そして、本体部２６は、その内側接続端部２４側に、平面形状が例えば長円形の平板状の取付フランジ２９を固着している。取付フランジ２９は、その長手方向中央部であって、ガス側サービスバルブ２１の内側接続端部２４に対向する箇所において、ガス側の室外機側冷媒管２３ａの接続端部を挿通させて内側接続端部２４に接続させる管挿通孔２９ａを形成している。
【００３７】
また、取付フランジ２９は、その長手方向両端部に、サービスバルブ固定板１７にねじ止めするためのねじを挿通させる左右一対のねじ挿通孔２９ｂ，２９ｃを形成している。
【００３８】
一方、図７で示すように液側サービスバルブ２０は、ガス側サービスバルブ２０とほぼ同様に構成されているので、図７中、図６で示す部分と同一または相当する部分には同一符号を付して、その重複した説明は省略するが、ガス側サービスバルブ２０との相違点は、内側接続端部２４は、液側の室外機側冷媒管２３ｂがロー付け等により接続される点、管径がガス側サービスバルブ２０よりも小径である点、サービス用接続端部２８を具備していない点にある。
【００３９】
図８は板金製の間隙カバー３０の斜視図である。間隙カバー３０は図中横長平板状の固定部３０ａ、カバー部３０ｂおよびＬ字状の折曲端部３０ｃを一体に形成している。
【００４０】
固定部３０ａは、取付フランジ２９とほぼ同形同大に形成され、その中央部に、取付フランジ２９の管挿通孔２９ａとほぼ同形，同大かつ同位置に管挿通孔３０ａ１を形成し、さらに、この管挿通孔３０ａ１の両側の左右両端部には、取付フランジ２９の左右一対のねじ挿通孔２９ｂ，２９ｃとほぼ同形，同大、かつ同位置に左右一対のねじ挿通孔３０ａ２，３０ａ３を形成している。
【００４１】
これら取付フランジ２９と間隙カバー３０は、その板厚方向に、外縁がほぼ一致するように重ね合せられて、これら左右一対のねじ挿通孔２９ｂ，２９ｃ、３０ａ２，３０ａ３内に取付ねじをそれぞれ挿通し、サービスバルブ固定板２２に共締めにより固定される。
【００４２】
また、固定部３０ａは、その左右両端部の図中下端に、弾性を有する帯板状の板ばね等よりなる左右一対の係止爪３０ａ４，３０ａ５を配設している。
【００４３】
カバー部３０ｂは図１２で示す液側，ガス側サービスバルブａ，ｃとサービスバルブ固定板ｅとの間に形成される間隙ｇ，ｈの開口を被覆するのに十分な大きさに形成されている。
【００４４】
図９，図１０に示すように間隙カバー３０は、液側，ガス側サービスバルブ２０，３０の予組みの際に、これらの各取付フランジ２９の内面に、左右一対の係止爪３０ａ４，３０ａ５により仮固定されて予組みされる。
【００４５】
すなわち、液側，ガス側サービスバルブ２０，３０を予組みする場合は、図１１に示すように例えばガス側の室外機側冷媒管２３ａの接続端部を、間隙カバー３０と取付フランジ２９の各管挿通孔３０ａ１，２９ａをそれぞれ挿通させ、ガス側サービスバルブ２１の内側接続端部２４にロー付け等により固着して接続する。
【００４６】
次に、間隙カバー３０を、ガス側冷媒管２３ａ上を摺動させて、ガス側サービスバルブ２１の取付フランジ２９の内面側に、外縁を相互に一致させた状態で押し込み重ね合せる。
【００４７】
すると、間隙カバー３０の左右一対の係止爪３０ａ４，３０ａ５の先端部が取付フランジ２９の内面の外端縁に衝当して弾性変形して、その裏面側に突出して抱え込み仮固定される。
【００４８】
これにより、ガス側サービスバルブ２１はガス側の室外機側冷媒管２３ａと間隙カバー３０とに予組みされる。
【００４９】
これと同様に、液側サービスバルブ２０も、液側の室外機側冷媒管２３ｂと間隙カバー３０とに予組みされる。
【００５０】
このように予組みされた液側，ガス側サービスバルブ２０，２１を図１で示すサービスバルブ固定板１７に固定する場合は、このサービスバルブ固定板１７の切欠に、液側，ガス側サービスバルブ２０，２１にそれぞれ予め接続されているガス側，液側冷媒管２３ａ，２３ｂをそれぞれ径方向に没入させ、位置決めした後、取付フランジ２９と間隙カバー３０の各左右一対のねじ挿通孔２９ｂ，２９ｃ，３０ａ２，３０ａ３内に取付ねじをそれぞれ挿通し、サービスバルブ固定板１７に共締めする。
【００５１】
図１に示すように、この液側，ガス側サービスバルブ２０，２１のサービスバルブ固定板１７への固定時には、各間隙カバー３０のカバー部３０ｂにより、これら液側，ガス側サービスバルブ２０，２１のサービスバルブ固定板１７との間の間隙ｇ，ｈの開口を被覆することができる。
【００５２】
このために、万一、室外機本体１内で火災が発生した場合でも、これら間隙ｇ，ｈの開口から外部へ火が吹き出すことを防止または低減できる。したがって、室外機Ａの近傍の可燃物に延焼する虞を防止または低減できる。
【００５３】
また、間隙ｇ，ｈの開口を被覆するので、室外機本体１内の圧縮機１４等の騒音を低減できる。さらに、液側，ガス側サービスバルブ２０，２１は、その取付フランジ２９に、間隙カバー３０を左右一対の係止爪３０ａ４，３０ａ５により仮固定するので、この取付フランジ２９に、間隙カバー３０をサービスバルブ固定板１７に共締めにより固定する際の固定作業の簡単化を図ることができる。
【００５４】
以上、本発明の幾つかの実施形態を説明したが、これらの実施形態は、例として提示したものであり、本発明の範囲を限定することは意図していない。これら新規な実施形態は、その他の様々な形態で実施されることが可能であり、本発明の要旨を逸脱しない範囲で、種々の省略、置換え、変更を行うことができる。これら実施形態およびその変形は、本発明の範囲および要旨に含まれるとともに、特許請求の範囲に記載された発明とその均等の範囲に含まれる。
【符号の説明】
【００５５】
Ａ…室外機、１…室外機本体、２…底板、４ａ，４ｂ…左右一対のサイドキャビネット、１７…サービスバルブ固定板、２０…液側サービスバルブ、２１…ガス側サービスバルブ、２３ａ…ガス側の室外機側冷媒管、２３ｂ…液側の室外機側冷媒管、２４…内側接続端部、２５…外側接続端部、２６…本体部、２７…開閉弁、２８…サービス用接続端部、２９…取付フランジ、２９ａ…管挿通孔、２９ｂ，２９ｃ…左右一対のねじ挿通孔、３０…固定カバー、３０ｂ…カバー部、３０ａ１…管挿通孔、３０ａ２，３０ａ３…左右一対のねじ挿通孔。
【図１】
2013083401.tif 000003
【図２】
2013083401.tif 000004
【図３】
2013083401.tif 000005
【図４】
2013083401.tif 000006
【図５】
2013083401.tif 000007
【図６】
2013083401.tif 000008
【図７】
2013083401.tif 000009
【図８】
2013083401.tif 000010
【図９】
2013083401.tif 000011
【図１０】
2013083401.tif 000012
【図１１】
2013083401.tif 000013
【図１２】
2013083401.tif 000014
【図１３】
2013083401.tif 000015
【図１４】
2013083401.tif 000016